(57)【特許請求の範囲】
【請求項１】
プラスチック製の容器本体の周縁にフランジ部を形成し、容器本体の両側に位置するフランジ部に下方に突出して同フランジ部の外周縁に向かうほど厚肉になるように厚肉部を形成すると共に、厚肉部の上面にはフランジ部の周方向に延びるように支持凹部を形成し、かつ同支持凹部には支持孔を設け、その支持孔に軟質材よりなり、容器本体の両側を中心にして周方向に延びるように形成した笠部と、その笠部の下面から垂下形成されると共に、手を掛けやすいように下面が曲面状に形成された係合片とにより構成される把持部材を挿着した洗面器。
【請求項２】
前記係合片の下端外周には、把持部材を支持孔から抜け止めするために抜け止め突縁を形成した請求項１に記載の洗面器。
【発明の詳細な説明】
【０００１】
【発明の属する技術分野】
この発明は、周縁にフランジ部が設けられた洗面器、湯桶等として使用されるプラスチック容器に関するものである。
【０００２】
【従来の技術】
洗面器、湯桶等として使用されるプラスチック容器は、容器本体の開口部周縁にフランジ部が設けられ、持ち上げるときなどに手を掛けることができるようになっている。しかし、フランジ部に手を掛けて持ち上げたとき、お湯の満たされたプラスチック容器はかなりの重さがあるため手にかかる負担が大きく、滑りやすいという問題があった。
【０００３】
このような問題点に考慮したプラスチック容器としては、例えば、実開平４−８０８３０号公報に開示されたものが知られている。この従来構成においては、フランジ部の全周に軟質材で形成された把持部材が装着され、これにより手が滑るのを防ぐことができるようになっている。このプラスチック容器において、フランジ部に把持部材を装着する方法としては、容器本体を射出成形した後に把持部材を接着したり、嵌め込んだりして装着する方法や二色成形法、インサート成形法等の方法が挙げられている。
【０００４】
【発明が解決しようとする課題】
ところが、フランジ部に把持部材を接着する場合には、材質によっては十分な接着性を得ることができないことに加え、耐久性に欠けるという問題があった。また、把持部材をフランジ部の全周にわたって嵌め込む場合には、把持部材をフランジ部に安定した状態で保持することが困難である上に、相当量の軟質材を必要とするという問題があった。さらに、二色成形法やインサート成形法によって把持部材を容器本体に取り付ける場合には、金型の構造、製造設備や製造工程が複雑になるという問題があった。
【０００５】
この発明は、上記のような従来技術に存在する問題点に着目してなされたものである。その目的とするところは、洗面器を持ち上げるときに手に加わる力を和らげ、滑りを防ぐことができる洗面器を提供することにある。その他の目的とするところは、構成が簡単で、把持部材となる材料の節約を図ることができるとともに、別体の把持部材を安定した状態でフランジ部に保持することができる洗面器を提供することにある。
【０００６】
【課題を解決するための手段】
上記の目的を達成するために、請求項１に記載の発明の洗面器は、プラスチック製の容器本体の周縁にフランジ部を形成し、容器本体の両側に位置するフランジ部に下方に突出して同フランジ部の外周縁に向かうほど厚肉になるように厚肉部を形成すると共に、厚肉部の上面にはフランジ部の周方向に延びるように支持凹部を形成し、かつ同支持凹部には支持孔を設け、その支持孔に軟質材よりなり、容器本体の両側を中心にして周方向に延びるように形成した笠部と、その笠部の下面から垂下形成されると共に、手を掛けやすいように下面が曲面状に形成された係合片とにより構成される把持部材を挿着したものである。
【０００７】
請求項２に記載の発明の洗面器は、請求項１に記載の発明において、前記係合片の下端外周には、把持部材を支持孔から抜け止めするために抜け止め突縁を形成したものである。
【０００９】
【発明の実施の形態】
以下、この発明の実施形態を図１〜図５に従って説明する。
図１に示すように、プラスチック容器１１は、上端の開口部周縁にフランジ部１２を有する容器本体１３と、その容器本体１３の底部に設けられた円環状の脚部１４と、容器本体１３の両側に位置するフランジ部１２に取り付けられた一対の把持部材１５とにより構成されている。このプラスチック容器１１は洗面器、湯桶等として使用される。容器本体１３は、ポリプロピレン、ポリエチレン等の合成樹脂により上端に向かうほど拡径する略逆円錐台状に形成されている。
【００１０】
フランジ部１２は容器本体１３の上端縁に形成され、その両側には他の部分よりも下方に突出した厚肉部１６が形成されている。この厚肉部１６は、図３に示すように、フランジ部１２の外周縁に向かうほど下方に向かって緩やかに厚肉になるように形成されるとともに、図５に示すように、厚肉部１６の中心から周方向に離れるほど薄くなるように形成されている。図１に示すように、厚肉部１６の上面には、平面略楕円形状の支持凹部１７がフランジ部１２の周方向に延びるように形成され、それらの中心には把持部材１５を挿着するための支持孔１８が貫通形成されている。
【００１１】
把持部材１５は、軟質材としてのエチレン−酢酸ビニル共重合体（ＥＶＡ）により形成されている。図１及び図２に示すように、この把持部材１５は、前記支持凹部１７と支持孔１８に対応するように、容器本体１３の両側を中心にして周方向に延びた上部位置の笠部１５ａと、その笠部１５ａの下面から垂下され、切欠きによって分割形成された３つの係合片１５ｂとよりなっている。そのため、各係合片１５ｂが変形しやすく、把持部材１５を支持孔１８に挿着しやすくなっている。また、図３〜図５に示すように、把持部材１５の上面及び下面は、支持孔１８に挿着したときにフランジ部１２の上面及び下面の曲面に対応するように、曲面状に形成されている。
【００１２】
図１及び図２（ｂ）に示すように、抜け止め突縁１９は各係合片１５ｂの下端外周に形成されている。そして、図３〜図５に示すように、各係合片１５ｂを支持孔１８に挿着した状態で、抜け止め突縁１９が支持孔１８の下端周縁に係合し、各係合片１５ｂが支持孔１８に抜け止め保持されるようになっている。このため、把持部材１５はフランジ部１２に安定した状態で保持されるようになっている。
【００１３】
図２（ｂ）に示すように、膨大部２０は、係合片１５ｂの長手方向における両端に形成されている。支持孔１８に把持部材１５を挿着する場合に、まず、係合片１５ｂの一方の膨大部２０を支持孔１８に嵌め込むことにより、把持部材１５を支持孔１８に仮固定してその動きを制限することができ、挿着を円滑に行うことができるようになっている。
【００１４】
このプラスチック容器１１を製造する場合には、容器本体１３と一対の把持部材１５をそれぞれ別々に射出成形し、成形後に容器本体１３の支持孔１８に把持部材１５を挿着する。これにより実施形態のプラスチック容器１１が得られる。
【００１５】
さて、このプラスチック容器１１を使用する場合には、容器１１内に水又は湯を満たした後、両手で把持部材１５を把持して移動させ、水又湯をあけたり、洗顔などに用いたりする。このとき、把持部材１５は軟質材であるエチレン−酢酸ビニル共重合体により形成されているため、移動させるときに手に加わる力が和らげられるとともに、滑りが防止される。また、容器１１内が空の状態で移動させる場合にも、把持部材１５の下面が曲面状に形成されているために、手を掛けやすく、便利である。
【００１６】
以上のように、この実施形態によれば次のような効果が発揮される。
・実施形態のプラスチック容器１１によれば、軟質材であるエチレン−酢酸ビニル共重合体により形成された把持部材１５がフランジ部１２の支持孔１８に挿着されている。このため、把持部材１５に手を掛けて容器１１を持ち上げることにより、容器１１を持ち上げるときに手に加わる力を和らげることができるとともに、滑りを防ぐことができる。
【００１７】
・実施形態のプラスチック容器１１によれば、把持部材１５はフランジ部１２の両側に一対だけ設けられている。このため、構成が簡単で、把持部材１５の材料となるエチレン−酢酸ビニル共重合体の使用量の節約を図ることができる。
【００１８】
・実施形態のプラスチック容器１１によれば、把持部材１５は容器本体１３と別に射出成形され、成形後に支持孔１８に挿着することにより容器本体１３に取り付けられている。このため、二色成形法やインサート成形法に必要とされるような複雑な金型や余分な製造工程が不要である。
【００１９】
・実施形態のプラスチック容器１１によれば、フランジ部１２の両側には厚肉部１６が設けられ、フランジ部１２外縁に向かうほど緩やかに厚肉になるように形成されている。そして、この厚肉部１６に対応するように、把持部材１５の下面は曲面状に形成されている。このため、把持部材１５を手になじみやすくすることができ、持ちやすくすることができる。
【００２０】
・実施形態のプラスチック容器１１によれば、フランジ部１２の平面より把持部材１５の笠部１５ａが盛り上がっているため、手探りでもフランジ部１２を手に掛けて持ち上げることができる。
【００２１】
・実施形態のプラスチック容器１１によれば、厚肉部１６は、その中心からフランジ部１２の周方向に離れるほど薄くなるように形成されている。そして、把持部材１５は、容器本体１３の両側を中心にして周方向に延びるように形成されるとともに、厚肉部１６に対応するように中心から周方向に離れるほど薄く形成されている。このため、把持部材１５を手にさらになじみやすくすることができ、より持ちやすくすることができる。
【００２２】
・実施形態のプラスチック容器１１によれば、各係合片１５ｂの先端外周には抜け止め突縁１９が形成されている。この係合片１５ｂを切欠き、分割形成することによって、把持部材１５を曲げて支持孔１８に挿入することが容易に可能である。そして、把持部材１５を支持孔１８に挿着したときに、抜け止め突縁１９が支持孔１８の下端周縁に係合して抜け止め保持されるようになっている。このため、把持部材１５を安定した状態でフランジ部１２に保持することができる。
【００２３】
・実施形態のプラスチック容器１１によれば、膨大部２０は係合片１５ｂの長手方向における両端に形成されている。そして、把持部材１５を支持孔１８に挿着するときに、一方の膨大部２０を支持孔１８に嵌め込むことにより、把持部材１５は支持孔１８に仮固定されて動きが制限されるため、挿着を円滑に行うことができる。
【００２４】
なお、前記実施形態を次のように変更して構成することもできる。
・把持部材１５の係合片１５ｂを切欠きによって２つ又は４つ以上に分割形成したり、切欠きを省略して係合片１５ｂを１つにしたりするとともに、それに対応して支持孔１８の形状を変更すること。
【００２５】
このように構成した場合でも、実施形態のプラスチック容器１１と同様の効果を奏することができる。
・把持部材１５の平面形状を略楕円形状に代えて、フランジ部１２に沿う円弧状、円形状又は略四角形状等に変更すること。
【００２６】
・把持部材１５を形成する軟質材として、ゴム状物質、熱可塑性エラストマー又は軟質塩化ビニル樹脂等を使用すること。
次に、前記実施形態から把握できる技術的思想について以下に記載する。
【００２７】
・前記容器本体の両側に位置するフランジ部は、外縁に向かうほど厚肉になるように形成するとともに、その中心から周方向に離れるほど薄肉になるように形成した請求項１又は請求項２に記載の洗面器。
【００２８】
このように構成した場合、把持部材を手にフィットさせることができ、持ちやすくすることができる。
【００３１】
・前記軟質材は、エチレン−酢酸ビニル共重合体である請求項１又は請求項２に記載の洗面器。
このように構成した場合、洗面器を持ち上げるときに手に加わる力を和らげることができるとともに、滑りを防ぐことができる。
【００３２】
【発明の効果】
この発明は、以上のように構成されているため、次のような効果を奏する。
請求項１に記載の発明によれば、軟質材よりなる把持部材がフランジ部の両側に一対設けられている。このため、洗面器を持ち上げるときに手に加わる力を和らげ、滑りを防ぐことができるとともに、構成が簡単で、把持部材となる材料の節約を図ることができる。また、係合片を支持孔に挿入することにより、容易に把持部材を支持孔に挿着することができる。
【００３３】
加えて、把持部材を手になじむようにすることができ、持ちやすくすることができる。
【００３４】
請求項２に記載の発明によれば、請求項１に記載の発明の効果に加え、係合片を支持孔に挿着したときに、抜け止め突縁が支持孔の下端周縁に係合し、係合片が支持孔に抜け止め保持される。このため、把持部材をフランジ部に安定した状態で保持することができる。
【図面の簡単な説明】
【図１】この発明のプラスチック容器の一実施形態を示す分解斜視図。
【図２】（ａ）は支持孔に挿着された把持部材を示す要部平面図、（ｂ）は同じく支持孔に挿着された把持部材を示す要部底面図。
【図３】図２（ｂ）の３−３線における断面図。
【図４】図２（ｂ）の４−４線における断面図。
【図５】図２（ｂ）の５−５線における断面図。
【符号の説明】
１１…プラスチック容器、１２…フランジ部、１３…容器本体、１５…把持部材、１８…支持孔。
【図１】
0003619373.tif 000002
【図２】
0003619373.tif 000003
【図３】
0003619373.tif 000004
【図４】
0003619373.tif 000005
【図５】
0003619373.tif 000006